【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
液体を液体噴射装置に供給可能なタンクユニットであって、
前記液体を収容可能な液体収容部と、外部と電気的に接続可能な端子部と、を有するタンクと、
前記タンクを収容可能であるとともに、前記液体噴射装置に連結可能な外装部と、
を備え、
前記外装部には、前記タンクにおける前記端子部の少なくとも一部を外部に露出させる１または複数の開口が設けられており、
前記外装部は、前記開口が前記液体噴射装置に向く姿勢において、前記液体噴射装置に連結される、タンクユニット。
【請求項２】
液体を液体噴射装置に供給可能なタンクユニットであって、
前記液体を収容可能な液体収容部と、外部と電気的に接続可能な端子部と、を有するタンクと、
前記タンクを収容可能であるとともに、前記液体噴射装置に連結可能な外装部と、
前記外装部内において、前記タンクを前記外装部に固定する支持部材と、
を備え、
前記支持部材には、前記外装部が前記液体噴射装置に連結されているときに、前記端子部と前記液体噴射装置との間に位置する１または複数の開口が設けられており、
前記端子部の少なくとも一部は、前記外装部が前記液体噴射装置に連結されていないときに、前記支持部材の前記開口を介して外部に露出する、タンクユニット。
【請求項３】
請求項１または請求項２記載のタンクユニットであって、
前記端子部の少なくとも一部は、前記開口を開口方向に見たときに、前記開口内に位置している、タンクユニット。
【請求項４】
請求項１から請求項３のいずれか一項に記載のタンクユニットであって、
前記タンクは、前記液体収容部に収容されている前記液体の検出に用いられる電極部を有し、
前記端子部は、前記電極部に電気的に導通している、タンクユニット。
【請求項５】
請求項１から請求項４のいずれか一項に記載のタンクユニットであって、
前記タンクは、さらに、前記液体収容部に大気を導入可能な大気取入部を備え、
前記大気取入部は、前記開口から外部に露出するとともに、前記開口に向かって開口している、タンクユニット。
【請求項６】
請求項５記載のタンクユニットであって、
前記タンクは、さらに、外部から前記液体収容部に前記液体を注入可能な液体注入部を含み、
前記開口から露出している前記端子部の少なくとも一部と前記大気取入部とは、前記外装部が前記液体噴射装置に連結されているときに、前記液体収容部の上方の位置であって、前記液体注入部より前記液体噴射装置に近い位置に位置する、タンクユニット。
【請求項７】
請求項５または請求項６記載のタンクユニットであって、
前記タンクは、さらに、外部から前記液体収容部に前記液体を注入可能な液体注入部を含み、
前記開口から露出している前記端子部の少なくとも一部と前記大気取入部とは、前記外装部が前記液体噴射装置に連結されているときに、前記液体注入部より上方の位置であって、前記液体注入部より前記液体噴射装置に近い位置に位置する、タンクユニット。
【請求項８】
請求項１から請求項７のいずれか一項に記載のタンクユニットであって、さらに、
前記開口を封止可能な封止部材を備える、タンクユニット。
【請求項９】
請求項１から請求項８のいずれか一項に記載のタンクユニットであって、
前記タンクは、第１液体を収容可能な前記液体収容部である第１液体収容部と、前記端子部である第１端子部と、を有する第１タンクであり、
第２液体を収容可能な第２液体収容部と、外部と電気的に接続可能な第２端子部と、を有する第２タンクをさらに備え、
前記第２タンクにおける前記第２端子部の少なくとも一部は、前記開口を介して、外部に露出している、タンクユニット。
【請求項１０】
請求項９記載のタンクユニットであって、
前記第１タンクは、前記第１液体収容部に大気を導入可能な第１大気取入部を備え、
前記第２タンクは、前記第２液体収容部に大気を導入可能な第２大気取入部を備え、
前記第１大気取入部および前記第２大気取入部は、前記開口から外部に露出するとともに、前記開口に向かって開口している、タンクユニット。
【請求項１１】
請求項１記載のタンクユニットであって、
前記タンクは、第１液体を収容可能な前記液体収容部である第１液体収容部と、前記端子部である第１端子部と、を有する第１タンクであり、
第２液体を収容可能な第２液体収容部と、外部と電気的に接続可能な第２端子部と、を有する第２タンクをさらに備え、
前記外装部における前記開口は、前記第１端子部の少なくとも一部を外部に露出させる第１開口と、前記第２端子部の少なくとも一部を外部に露出させる第２開口と、を含む、タンクユニット。
【請求項１２】
請求項２記載のタンクユニットであって、
前記タンクは、第１液体を収容可能な前記液体収容部である第１液体収容部と、前記端子部である第１端子部と、を有する第１タンクであり、
第２液体を収容可能な第２液体収容部と、外部と電気的に接続可能な第２端子部と、を有する第２タンクをさらに備え、
前記支持部材は、前記第１タンクと前記第２タンクとを前記外装部に固定し、
前記支持部材における前記開口は、前記第１端子部の少なくとも一部を外部に露出させる第１開口と、前記第２端子部の少なくとも一部を外部に露出させる第２開口と、を含む、タンクユニット。
【請求項１３】
請求項１１または請求項１２記載のタンクユニットであって、
前記第１タンクは、前記第１液体収容部に大気を導入可能な第１大気取入部を備え、
前記第２タンクは、前記第２液体収容部に大気を導入可能な第２大気取入部を備え、
前記第１大気取入部は、前記第１開口から外部に露出するとともに、前記第１開口に向かって開口しており、
前記第２大気取入部は、前記第２開口から外部に露出するとともに、前記第２開口に向かって開口している、タンクユニット。
【請求項１４】
液体噴射システムであって、
請求項１から請求項１３のいずれか一項に記載のタンクユニットと、
液体噴射ヘッドを有する前記液体噴射装置と、
前記タンクユニットと前記液体噴射ヘッドとの間において前記液体を流通させるチューブと、
を備える、液体噴射システム。
【請求項１５】
液体を液体噴射装置に供給可能なタンクユニットであって、
液体を収容可能な液体収容部と、外部と電気的に接続可能な端子部と、を有するタンクと、
前記タンクを収容可能である外装部と、
前記外装部内において、前記タンクを前記外装部に固定する支持部材と、
を備え、
前記外装部は、前記支持部材の少なくとも一部と、前記タンクの少なくとも一部と、を外部に露出させる開口を有し、
前記支持部材には、前記外装部における前記開口から露出する部位に、前記端子部の少なくとも一部を外部に露出させる開口が設けられている、タンクユニット。
【手続補正２】
【補正対象書類名】明細書
【補正対象項目名】００１４
【補正方法】変更
【補正の内容】
【００１４】
［９］上記形態のタンクユニットにおいて、前記タンクは、第１液体を収容可能な前記液体収容部である第１液体収容部と、前記端子部である第１端子部と、を有する第１タンクであり、前記タンクユニットは、第２液体を収容可能な第２液体収容部と、外部と電気的に接続可能な第２端子部と、を有する第２タンクをさらに備え、前記第２タンクにおける前記第２端子部の少なくとも一部は、前記開口を介して、外部に露出して良い。この形態のタンクユニットによれば、外装部に収容されている状態の第１タンクおよび第２タンクの端子部に対する検査を容易におこなうことができる。